(57)【要約】【課題】無線タグの再利用が容易な物品収納用無線タグ付きケースを提供すること。【解決手段】所定の大きさ物品を収納するケースであって、このケースの一辺１２に沿うように無線タグ１３が取り付けられていることを特徴とする。【選択図】      図１
2006021891.tif 000002
【特許請求の範囲】
【請求項１】
所定の大きさ物品を収納するケースであって、このケースの一辺に沿うように無線タグが取り付けられていることを特徴とする物品収納用無線タグ付きケース。
【請求項２】
前記無線タグが取り付けられているケースの一辺には切欠きが形成されていることを特徴とする請求項1記載の物品収納用無線タグ付きケース。
【発明の詳細な説明】
【技術分野】
【０００１】
本発明は、郵便局に戻った例えば記録扱い郵便物のような物品を収納する物品収納用無線タグ付きケースに関する。
【背景技術】
【０００２】
郵便物の一つに記録扱い郵便物がある。この記録扱い郵便物は、受取人が不在の場合には郵便局に戻されて保管される。そして、後で受取人が郵便局に出向いたときに、所定の本人確認を行った後に受取人に手渡される。この間、郵便局に戻された郵便物は所定の棚に収納されて保管されている。そして、受取人が持参した不在配達票に記載されているお知らせ番号をキーとして棚から該当する郵便物を手作業により検索していた。
【０００３】
このように郵便局員が手作業により不在配達の郵便物を検索していたため、その作業に時間がかかるという問題があった。
【０００４】
そこで、郵便物に無線タグを貼り付けることにより無線で郵便物を検索することも考えられている。
【０００５】
なお、工場等において各加工工程および組立工程間を移送されて使用される部品搬送ケースが知られている（例えば、特許文献１参照）。
【特許文献１】特開２０００−２７１８２０
【発明の開示】
【発明が解決しようとする課題】
【０００６】
前述したように無線で郵便物を検索し、該当する郵便物を検索し終えた後は、その郵便物に貼り付けられていた無線タグを取り外して再利用することが考えられる。
【０００７】
しかし、このように無線タグを取り外すのは手間がかかるばかりでなく、無線タグを再利用するためのコストが非常にかかるという問題があった。
【０００８】
本発明は、上記の点に鑑みてなされたもので、その目的は、無線タグの再利用が容易な物品収納用無線タグ付きケースを提供することにある。
【課題を解決するための手段】
【０００９】
本発明の物品収納用無線タグ付きケースは、所定の大きさ物品を収納するケースであって、このケースの一辺に沿うように無線タグが取り付けられていることを特徴とする。
【発明の効果】
【００１０】
本発明によれば、検索する郵便物を無線タグが取り付けられているケースに収納させるようにしたので、検索する郵便物に無線タグを貼ったりまた取り外したりする手間を省くことができる。また、無線タグの再利用も容易である。
【発明を実施するための最良の形態】
【００１１】
以下、図面を参照して本発明の第1の実施の形態に係る物品収納用無線タグ付きケースについて説明する。図１は物品収納用無線タグ付きケース１０の平面図である。図において、１１は長方形状のケース本体である。このケース本体１１の大きさは、はがきや封筒を収納可能なサイズに設定される。封筒における郵便物のサイズは、定形サイズ（長さ１４〜２３．５cm，幅９〜１２cmの長方形で、厚さが１cmまでのもの）が主流であり、定形外としても角形２号（長さ３３．２cm,幅約２４cmの長方形で、厚さが約１．５cmまでのもの）が主流である。このような角２の封筒を収納する場合には、ケース本体１１の大きさは、Ｂ４ケース（長さ約３８．１cm,幅約２７．９cmの長方形）であることが望まれる。
【００１２】
このケース本体１１は透明の樹脂が袋状に形成されている。ケース本体１１の１辺１２が開口されている。この開口部を介してケース本体１１内に物品としてのはがきや封筒を収納可能である。
【００１３】
また、ケース本体１１の特定位置、つまり一辺１２の片隅には、無線タグ１３が取り付けられている。
【００１４】
次に、図２を用いて無線タグ１３の内部構成を示す。無線タグ１３は、送受信可能なタグアンテナ２１とＩＣチップ２２とを基板と一体成形した独立の部品である。タグアンテナ２１は、矩形状に成形されたループコイル等からなる。ＩＣチップ２２は、タグアンテナ２１で受信した変調電波の整流と安定化を行うことによりＩＣチップ２２の各部に電源を供給する電源生成部２３、上記変調電波を復調して制御部２６へ送信する復調部２４、制御部２６から送信されたデータを変調してタグアンテナ２１に送信する変調部２５、復調部２４で復調されたデータのメモリ２７への書き込みや、メモリ２７から送信データを読み出して変調部２５へ送出する制御部２６及びメモリ２７等で構成されている。メモリ２７には、当該無線タグ１３の製造段階で製造業者により割当て設定された固有のＩＤ）を記憶するＩＤエリアと、ユーザで任意のデータを書き込むことができるユーザエリアとが形成されている。
【００１５】
次に、物品収納用無線タグ付きケース１０を使用して郵便物を検索する処理について図３を参照しながら説明する。受取人が不在のため郵便局に図３（Ａ）に示す定形郵便物３１、定形外郵便物３２が戻された場合には、定形郵便物３１及び定形外郵便物３２はそれぞれ別々の物品収納用無線タグ付きケース１０に収納される（図３（Ｂ）参照）。
【００１６】
そして、図３（Ｃ）に示すように持ち戻った郵便物をどの物品収納用無線タグ付き収納ケース１０に収納したかをホストコンピュータ（図示しない）に登録する作業を行う。受取人が不在の場合には、郵便局員は不在配達票を受取人の所に置いて来る。その不在配達票には、郵便物を特定するためのお知らせ番号が記載されている。また、郵便局員はお知らせ番号が記載された用紙を郵便物に貼り付けて郵便局に持ち戻る。そして、ホストコンピュータ（図示しない）に備えられているバーコードリーダ（図示しない）によりその用紙に記載されているお知らせ番号を読み取り、物品収納用無線タグ付き収納ケース１０に取り付けられている無線タグ１３の固有ＩＤを無線タグリーダ４０で読み取り、固有ＩＤとお知らせ番号とをホストコンピュータ（図示しない）内のメモリに記憶させる処理を行う。
【００１７】
そして、郵便物を物品収納用無線タグ付き収納ケース１０に収納させた後、図３（Ｄ）に示すように、物品収納用無線タグ付き収納ケース１０をその無線タグ１３が上側に位置するようにして保管される。
【００１８】
次に、受取人が不在配達票を持参して郵便局に郵便物を受け取りに来たときの処理について説明する。
【００１９】
まず、郵便局員は不在配達票に記載されているお知らせ番号をホストコンピュータ（図示しない）から入力する。すると、ホストコンピュータ（図示しない）は、入力されたお知らせ番号に対応する郵便物が収納された物品収納用無線タグ付き収納ケース１０に取り付けられている無線タグ１３の固有番号を前述したメモリから求める。
【００２０】
次に、検索すべき郵便物を収納した物品収納用無線タグ付き収納ケース１０に取り付けられた無線タグ１３の固有ＩＤの固有無線番号が判明すると、この固有ＩＤを検索用ＩＤとして該当する物品収納用無線タグ付き収納ケース１０を検索する処理を行う（図３（Ｄ））。
【００２１】
そして、このような検索処理に応答して、無線タグ１３は自己の固有ＩＤを無線タグリーダ４０に返信する。そして、無線タグ１３から返送された固有ＩＤが問い合わせた固有ＩＤと一致しているかを検索する。
【００２２】
そして、一致していると判断した場合には、図３（Ｅ）に示すように、一致した物品収納用無線タグ付き収納ケース１０を選定する。
【００２３】
さらに、図３（Ｆ）に示すように郵便物を物品収納用無線タグ付き収納ケース１０から取り出すと共に、図３（Ｇ）に示すように物品収納用無線タグ付き収納ケース１０を空にする。
【００２４】
このようにして、空にされた物品収納用無線タグ付き収納ケース１０は、次の郵便物を収納させるために再利用される。
【００２５】
このように、この実施の形態によれば、物品収納用無線タグ付き収納ケース１０に無線タグ１３を取り付け、郵便物には貼り付けないようにしたので、物品収納用無線タグ付き収納ケース１０を簡単に再利用することができる。
【００２６】
また、物品収納用無線タグ付き収納ケース１０のサイズをＢ４サイズとしたので、ほとんどの郵便物を収納させることができる。
【００２７】
次に、図４及び図５を参照して本発明の第２の実施の形態について説明する。この第２の実施の形態に係る物品収納用無線タグ付き収納ケース１０は、無線タグ１３が取り付けられている側の辺１２と対向する辺１４の片隅に切り欠き部１５が形成されている。
【００２８】
このように切り欠き部１５を形成さておくことにより、図３（Ｄ）に示すように複数の物品収納用無線タグ付き収納ケース１０を保管する場合に、保管場所に切り欠き部１５と整合するような突起１６を設けておくことにより、複数の物品収納用無線タグ付き収納ケース１０を無線タグ１３が上面に位置させるように保管することができる。このため、検索処理において、無線タグリーダ４０から放射させる電波を全ての無線タグ１３にあてることができる。
【００２９】
次に、図６を参照して本発明の第３の実施の形態について説明する。この第３の実施の形態に係る物品収納用無線タグ付き収納ケース１０は、無線タグ１３が取り付けられている側の辺１２と対向する辺１４と水平に突起部１７を設けている。
【００３０】
従って、図３（Ｄ）に示すように複数の物品収納用無線タグ付き収納ケース１０を保管する場合に、間違って辺１２を下側にした場合には、突起部１７が上側に現われるので、その間違いをすぐ発見することができる。
【００３１】
従って、図３（Ｄ）に示すように複数の物品収納用無線タグ付き収納ケース１０を保管する場合に確実に複数の物品収納用無線タグ付き収納ケース１０を無線タグ１３が上面に位置させるように保管することができる。
【００３２】
なお、上記第１の実施の形態において、無線タグ１３が取り付けられる場所に、無線タグリーダ４０からの電波が到達できるような位置であれば、図４の位置に限定されない。
【００３３】
さらに、上記第２及び第３の実施の形態において、切り欠き部１５及び突起部１７は辺１４の反対側に形成しても良い。
【図面の簡単な説明】
【００３４】
【図１】本発明の第1の実施の形態に係る物品収納用無線タグ付きケースの平面図。
【図２】同第1の実施の形態に係る無線タグの要部構成を示すブロック図。
【図３】同第１の実施の形態に係る物品収納用無線タグ付きケースに郵便物を収納して検索する動作を説明するための図。
【図４】本発明の第２の実施の形態に係る物品収納用無線タグ付きケースの平面図。
【図５】同第２の実施の形態に係る物品収納用無線タグ付きケースを複数束ねて載置した状態を示す斜視図。
【図６】本発明の第３の実施の形態に係る物品収納用無線タグ付きケースの平面図。
【符号の説明】
【００３５】
１１…ケース本体、１２…一辺、１３…無線タグ、２１…タグアンテナ、２２…ＩＣチップ、２３…電源生成部、２４…復調部、２５…変調部、２６…制御部、２７…メモリ。
【図１】
2006021891.tif 000003
【図２】
2006021891.tif 000004
【図３】
2006021891.tif 000005
【図４】
2006021891.tif 000006
【図５】
2006021891.tif 000007
【図６】
2006021891.tif 000008